(57)【要約】【課題】軟らかさが有り、設置・交換・廃棄作業が容易であり、保温性、断熱性が高く、廃棄性の容易な家畜用マットの提案である。【解決手段】クッション部において生分解性発泡体と生分解性繊維の圧縮パネルを持って形成し、クッション部に対し重量部を分離し、重量部は内部に砂を詰めた重量部であって、クッション部と重量部を容易に結束分離できることを特徴とする。【選択図】図１
2005341918.tif 000002
【特許請求の範囲】
【請求項１】
クッション部に生分解性発泡体と生分解性繊維の圧縮パネルを持つことを特徴とする家畜マット。
【請求項２】
生分解性材料で形成したクッション部と砂または水を詰めて形成した重量部を持ち、該クッション部と該重量部が結束及び分離が可能であることを特徴とする家畜マット。
【発明の詳細な説明】
【技術分野】
【０００１】
本発明は、家畜用に敷設される家畜マットに関するものである。
【背景技術】
【０００２】
従来、家畜用床面はコンクリートで作られていることが多く、床面には寝ワラが敷かれていた。しかし近年、ワラ自体の購入が難しくなってきている。特に乳牛の牛床において以下の問題点が指摘されていた。寝ワラの敷料が少ないとクッション性がなく、牛床が固かったり、凸凹があると蹄や関節への負担が大きく、特に寝起き時の関節へのダメージが大きくなっていた。さらに、保温性、断熱性の低下にもつながっていた。これらは全て食い込み量の減少につながり、最終的には乳量の減少や疾病という形で返っていた。このため、軟らかさを備えた牛床マットが望まれていた。
【０００３】
これに対し、各種牛床マットが販売されている。これらの多くは合成ゴムをクッション材として使用している。合成ゴムを主たるクッション材として使用している牛床マットは重量が重く、４０ｋｇから１００ｋｇに及ぶものまであり、これの設置・交換・廃棄作業時には重労働を課していた。さらに保温性、断熱性も不十分であった。このため設置・交換・廃棄作業時に作業性が良く、保温性、断熱性の高い牛床マットが望まれていた。
【０００４】
また合成ゴムを主たる材料として形成された牛床マットは、焼却時高温を発し悪臭を出し、埋め立て廃棄する場合も分解されにくく、廃棄性が悪かった。このため廃棄性の容易な材料使用による牛床マットが望まれていた。
【０００５】
本件の発明者は、特願２００３−１６９８９４にて生分解性発泡体において、発泡体の従来の機能を有しつつ、成形された状態から部分的にも断裂分離しにくい生分解性発泡体を説明している。
【特許文献１】特願２００３−１６９８９４
【発明の開示】
【発明が解決しようとする課題】
【０００６】
解決しようとする課題は、軟らかさが有り、設置・交換・廃棄作業が容易であり、保温性、断熱性が高く、廃棄性の容易な家畜用マットの提案である。
【課題を解決するための手段】
【０００７】
本発明の第一の家畜用マットは、クッション部において生分解性発泡体と生分解性繊維の圧縮パネルを持つことを最も主要な特徴とする。
【０００８】
第二の家畜用マットは、クッション部に対し重量部を分離し、重量部は内部に砂または水を詰めた重量部であって、クッション部と重量部を容易に結束分離できることを特徴とする。
【発明の効果】
【０００９】
本発明の生分解性家畜用マットは、生分解性発泡体と生分解性繊維の圧縮パネルを配することにより、軟らかさと耐久性を両立させ、保温性、断熱性も高くすることができた。また、設置時はクッション部と重量部を分離結束可能とすることにより、設置・交換・廃棄時の作業を容易にした。さらに、生分解材料にて形成することにより、廃棄時には焼却処分時には高温を必要とせず、土壌の埋没させた場合は、バクテリアによる侵食分解、加水分解等により自然回帰するという利点がある。
【発明を実施するための最良の形態】
【００１０】
クッション部は、板状に形成した生分解性発泡体と、板状に形成した生分解性繊維の圧縮パネルを配し、これを生分解性繊維で形成した外皮布にて被覆する。また、重量部は、生分解性繊維で形成した布にて袋を形成し、内部に砂を詰めて砂袋を形成する。
【００１１】
重量部とクッション部は分離された状態で家畜舎に搬送し、設置位置において、重量部はクッション部の周囲に配置し、クッション部と重量部を結束する。
【００１２】
クッション部は家畜が直接乗り、横臥・坐臥・起立を繰り返すため、周囲に配した重量部に対し耐久期間には大きな差が出る。クッション部の耐久期間が終了し、クッション部を交換する場合、重量部とクッション部の結束を外し、重量部とクッション部を分離する。クッション部のみであれば軽量であり、交換作業は容易となる。
【実施例１】
【００１３】
本発明の実施形態について詳しく説明する。本実施例で説明する家畜用マットは、乳牛１頭が起立・横臥・坐臥をするのに必要な広さに仕切られたストールに敷いて使用される生分解性家畜用マットとして説明する。図１は、生分解性家畜用マットの全体の斜視図である。この時、生分解性家畜用マットは、クッション部１と重量部２にて形成されている。家畜用マットは、牛、馬、羊、豚等家畜の種類を限定するものではない。
【００１４】
図２は、生分解性家畜用マットのクッション部１の断面図である。クッション部１は板状に形成した生分解性発泡体３と生分解性繊維の圧縮パネル４から成り、これを生分解性繊維で形成した外皮布５にて被覆している。クッション部１を幅１３０ｃｍ、長さ１７０ｃｍにて作製したとき、約２０ｋｇとなった。重量は、生分解性発泡体３の発泡倍率、生分解性繊維の圧縮綿４の量、全体の厚みにより変化、調整が可能である。
【００１５】
また、クッション部を牛舎に設置する時、生分解性繊維の圧縮パネル４の上部に生分解性発泡体３が配される状態で設置した場合、乳牛の重量にて生分解性発泡体３が大きくひずみ、つぶれが発生し、マット表面に凸凹が残る結果となった。これに対し、生分解性発泡体３の上に生分解性繊維の圧縮パネル４が配される状態で設置した場合、乳牛の重量は生分解性繊維の圧縮パネル４にて分散され生分解性発泡体３のつぶれの発生は小さなものとなる。
【００１６】
図３は、生分解性家畜用マットの表裏区分の無いクッション部１の断面図である。この時、クッション部１は、生分解性家畜用マットの表裏区分を無くす為、内部に板状の生分解性発泡体３を配し、その表裏に生分解性繊維の圧縮パネル４を配した状態となっている。
【００１７】
生分解性発泡体３と生分解性繊維の圧縮パネル４を重ねた状態に対し、これを生分解性繊維で形成した外皮布５にて被覆する。生分解性繊維の圧縮パネル４と外皮布５とのズレを防止するため、全体を縫い合わせる場合もある。また、圧縮パネル４と外皮布５を接着剤にて接着する場合もある。
【００１８】
図４は、生分解性家畜用マットの重量部２の断面図である。重量部２は、生分解性繊維で形成した布にて袋６を形成し、内部に砂７を詰めて砂袋を形成している。このとき砂袋の大きさ、内部に詰める砂量により重量部２の重量を変化させることができる。作業性を考慮した場合、２０ｋｇから３０ｋｇ程度が適当であろうが、これに限定するものではない。
【００１９】
図１は、クッション部１の左右に重量部２を配した状態を示しているが、重量部２の数は２個に制限するものではなく、クッション部の下部に１個を配する場合から、３個以上を使用する場合もある。
【００２０】
図５は、生分解性家畜用マットのクッション部１に配された紐８にて重量部２を結束している状態を示す斜視図である。図５では、クッション部１に配された紐８にて重量部２を結束しているが、紐８は重量部に配し、クッション部を結束する場合もある。さらに結束は紐に限るものではない。目的は、クッション部１と、重量部２の結束及び分離であり、これを果たす方法ならば方法を問わない。
【００２１】
生分解性家畜用マットは、クッション部１と重量部２にて構成されているが、部材ごとには各２０ｋｇ程度のため搬送、設置作業を著しく困難にするものではない。部材を設置場所にて結束することにより、組み上げ製品重量は６０ｋｇ程度となり、マットが軽すぎて乳牛に蹴り飛ばされることも少ない。
【００２２】
乳牛の横臥・坐臥・起立は、ほとんど同じ位置にて繰り返されるため、クッション部１の耐久期間は、クッション部１の左右に配した重量部２の耐久期間とは大幅に異なる。クッション部１の耐久期間経過後はクッション部１のみの交換ですむ。クッション部１の紐８と重量部２を結束している部分を解くことにより、クッション部１のみを運び出し交換作業を実施できる。
【００２３】
また、生分解性家畜用マットのクッション部１は、全てが生分解性材料にて構成されているため、廃棄処分が容易となる。重量部２は内部に、砂７を含んでいるが、砂７のため処分がしやすい。
【００２４】
さらに、生分解性家畜用マットのクッション部１は、生分解性発泡体３と生分解性繊維の圧縮パネル４にて構成されており、保温性が高く、断熱性の高いクッション部１となっている。
【産業上の利用可能性】
【００２５】
本発明の生分解性家畜用マットは、全体重量に対し、クッション部、重量部に分けることにより、軽量化が可能であり、酪農業務における仕事の軽減に寄与できる。また、家畜用マットとして十分に軟らかく、保温性、断熱性の高いマットを提供することによって、乳牛のストレス・疾病を軽減し搾乳量の増加を期待できる。さらに、廃棄時には生分解性材料であることが大きく、廃棄処分が容易になる。
【図面の簡単な説明】
【００２６】
【図１】生分解性家畜用マットの全体の斜視図である。
【図２】生分解性家畜用マットのクッション部１の断面図である。
【図３】生分解性家畜用マットの表裏区分の無いクッション部１の断面図である。
【図４】生分解性家畜用マットの重量部２の断面図である。
【図５】生分解性家畜用マットのクッション部１に配された紐８にて重量部２を結束している状態を示す斜視図である。
【符号の説明】
【００２７】
１    クッション部
２    重量部
３    生分解性発泡体
４    生分解性繊維の圧縮パネル
５    外皮布
６    袋
７    砂
８    紐
【図１】
2005341918.tif 000003
【図２】
2005341918.tif 000004
【図３】
2005341918.tif 000005
【図４】
2005341918.tif 000006
【図５】
2005341918.tif 000007